(57)【特許請求の範囲】
【請求項１】
部品実装機の各部品供給ユニットに搭載されている部品の配列データを含む、部品実装機の実装データを作成する実装データ作成方法であって、
前記部品供給ユニットそれぞれから部品情報を読み取り、
この読み取った各部品情報から得られた部品の配列と部品実装機の実装に用いる部品配列データにおける部品の配列とを比較照合し、
前記比較照合の結果、部品配列が異なる場合に、部品配列データにおける部品の配列が前記部品供給ユニットそれぞれから読み取って得られた部品の配列となるように部品実装機にそのまま用いる部品配列データを再生成することで実装データを作成する
ことを特徴とする実装データ作成方法。
【請求項２】
請求項１記載の実装データ作成方法であって、前記比較照合の結果、部品配列が異なる場合に、部品配列データにおける部品の配列が前記部品供給ユニットそれぞれから読み取って得られた部品の配列となるように部品実装機にそのまま用いる部品配列データおよびＮＣデータを再生成することを特徴とする実装データ作成方法。
【請求項３】
請求項１もしくは２の何れかに記載の実装データ作成方法であって、前記部品供給ユニットそれぞれに、搭載している部品の情報を記憶した記憶装置を備えさせ、該記憶装置から部品情報を読み取ることを特徴とする実装データ作成方法。
【請求項４】
請求項１もしくは２の何れかに記載の実装データ作成方法であって、前記部品供給ユニットそれぞれに、搭載している部品の情報を記憶したＩＣメモリを備えさせ、該ＩＣメモリから部品情報を読み取ることを特徴とする実装データ作成方法。
【請求項５】
請求項１もしくは２の何れかに記載の実装データ作成方法であって、前記部品供給ユニットそれぞれに、搭載している部品の情報を記憶したバーコードを備えさせ、該バーコードから部品情報を読み取ることを特徴とする実装データ作成方法。
【請求項６】
部品実装機の各部品供給ユニットに搭載されている部品の配列データを含む、部品実装機の実装データを作成する実装データ作成装置であって、
前記部品供給ユニットから部品情報を読み取る読み取り装置と、
前記読み取り装置により読み取った前記部品供給ユニットそれぞれの部品情報から得られた部品の配列と部品実装機の実装に用いる部品配列データにおける部品の配列とを比較照合する照合部と、
前記比較照合の結果、部品配列が異なる場合に、部品配列データにおける部品の配列が前記部品供給ユニットそれぞれから読み取って得られた部品の配列となるように部品実装機にそのまま用いる部品配列データを再生成することで実装データを作成するデータ作成部と
を備えることを特徴とする実装データ作成装置。
【発明の詳細な説明】
【０００１】
【産業上の利用分野】
本発明は、基板に部品を実装する部品実装機における実装データ作成方法、および実装データ作成装置に関する。
【０００２】
【従来の技術】
近年、電子部品実装機において段取り替え時に起こる電子部品の掛け間違えを防止する装置が使われている。
【０００３】
以下図面を参照しながら、上述した従来の部品の掛け間違い防止装置の照合方法の一例について説明する。図４は電子部品を搭載する電子部品供給ユニットを示す斜視図である。図４において、２１は電子部品を搭載する電子部品供給ユニット、２２は部品供給ユニット２１に搭載される電子部品の部品コードを記憶する記憶装置である。２３は記憶装置２２に記憶されている部品コードを読み取るために、電子部品実装機に搭載されている読み取り装置である。
【０００４】
このように構成された従来の電子部品実装機の部品照合方法について、以下図４を用いその動作を説明する。まず、記憶装置２２に記憶されている部品コードを電子部品実装機の読み取り装置で読み込み、これを電子部品実装機が保有する部品コード、ＮＣプログラム、配列プログラムのデータと照合し、電子部品の掛け間違いの確認をしてその防止を行っている。
【０００５】
【発明が解決しようとする課題】
上記のように、従来の構成では、段取り替え時の電子部品交換において、電子部品実装機が保有する部品配列表と部品供給ユニットに搭載された記憶装置に記憶された部品コードとを照合し、電子部品の掛け間違いが起こらないように確認を行うが、照合が一致しないと、電子部品のセット修正が必要になる。
【０００６】
本発明は上記のような問題を解決するためになされたもので、電子部品の掛け間違いのために生ずるセット修正の手間を解消する実装データ作成方法、および実装データ作成装置を提供するものである。
【０００７】
【課題を解決するための手段】
上記課題を解決するために、本発明の請求項１記載の実装データ作成方法は、部品実装機の各部品供給ユニットに搭載されている部品の配列データを含む、部品実装機の実装データを作成する実装データ作成方法であって、前記部品供給ユニットそれぞれから部品情報を読み取り、この読み取った各部品情報から得られた部品の配列と部品実装機の実装に用いる部品配列データにおける部品の配列とを比較照合し、前記比較照合の結果、部品配列が異なる場合に、部品配列データにおける部品の配列が前記部品供給ユニットそれぞれから読み取って得られた部品の配列となるように部品実装機にそのまま用いる部品配列データを再生成することで実装データを作成することを特徴とするものである。
また、本発明の請求項２記載の実装データ作成方法は、請求項１記載の実装データ作成方法であって、前記比較照合の結果、部品配列が異なる場合に、部品配列データにおける部品の配列が前記部品供給ユニットそれぞれから読み取って得られた部品の配列となるように部品実装機にそのまま用いる部品配列データおよびＮＣデータを再生成することを特徴とする。
また、本発明の請求項３記載の実装データ作成方法は、請求項１もしくは２の何れかに記載の実装データ作成方法であって、前記部品供給ユニットそれぞれに、搭載している部品の情報を記憶した記憶装置を備えさせ、該記憶装置から部品情報を読み取ることを特徴とする。
また、本発明の請求項４記載の実装データ作成方法は、請求項１もしくは２の何れかに記載の実装データ作成方法であって、前記部品供給ユニットそれぞれに、搭載している部品の情報を記憶したＩＣメモリを備えさせ、該ＩＣメモリから部品情報を読み取ることを特徴とする。
また、本発明の請求項５記載の実装データ作成方法は、請求項１もしくは２の何れかに記載の実装データ作成方法であって、前記部品供給ユニットそれぞれに、搭載している部品の情報を記憶したバーコードを備えさせ、該バーコードから部品情報を読み取ることを特徴とする。
また、本発明の請求項６記載の実装データ作成装置は、部品実装機の各部品供給ユニットに搭載されている部品の配列データを含む、部品実装機の実装データを作成する実装データ作成装置であって、前記部品供給ユニットから部品情報を読み取る読み取り装置と、前記読み取り装置により読み取った前記部品供給ユニットそれぞれの部品情報から得られた部品の配列と部品実装機の実装に用いる部品配列データにおける部品の配列とを比較照合する照合部と、前記比較照合の結果、部品配列が異なる場合に、部品配列データにおける部品の配列が前記部品供給ユニットそれぞれから読み取って得られた部品の配列となるように部品実装機にそのまま用いる部品配列データを再生成することで実装データを作成するデータ作成部とを備えることを特徴とする。
【０００８】
【作用】
本発明は上記構成によって、部品供給ユニットに搭載される記憶装置に記憶されている部品コードと電子部品実装機に記憶されている部品コード、ＮＣプログラム、配列プログラムとを比較照合し、部品供給部の電子部品供給ユニットに搭載されている電子部品の配列を基準に、電子部品実装機が保有する配列プログラム、ＮＣプログラムを再生成して電子部品の掛け間違い時のセット修正の手間を解消する。
【０００９】
【実施例】
以下本発明の一実施例のデータ作成方法について図面を参照しながら説明する。
【００１０】
図１は本発明の一実施例のデータ作成方法を示す構成図である。１１は電子部品供給ユニット、１２はこの電子部品供給ユニット１１に搭載される電子部品情報を記憶する記憶装置である。１３は記憶装置１２の情報を読み取る読み取り装置である。１４はデータを照合し新データを再生成する制御部である。
【００１１】
図２は、本実施例の制御部１４における電子部品供給部のデータと電子部品実装機の部品配列データおよびＮＣデータとの照合からデータの再生成までの過程を説明する図である。図２において、１６は電子部品供給部の電子部品供給ユニット１１に搭載されている記憶装置１２の電子部品情報を読み取る読み取り装置１３で読み取った電子部品供給ユニット１１の電子部品の情報を示し、Ａ．Ｂ．Ｃ．Ｄ．Ｅ．Ｆ．・・・はその部品コード、１．２．３．４．５．６・・・はその電子部品の配列の順番を示す。
【００１２】
１７は電子部品実装機中の部品配列データを示し、Ａ．Ｂ．Ｃ．Ｄ．Ｅ．Ｆ．・・・はその部品コード、１．２．３．４．５．６．・・・はその配列を示す。１８は電子部品実装機中のＮＣデータを示し、Ｎはデータの数、Ｘ．Ｙは電子部品の実装位置、θは電子部品の実装角度、Ｚは電子部品供給部の電子部品の配列の順番を示す。１９は再生成された部品配列データを示し、２０は再生成されたＮＣデータを示す。
【００１３】
上記のように構成された電子部品実装機のデータ作成方法についての動作説明をする。図１の電子部品供給ユニット１１に搭載する電子部品の部品情報をあらかじめ電子部品供給ユニット１１に搭載されている記憶装置１２のＩＣメモリに入力しておき、記憶装置１２の情報を読み取る読み取り装置１３で部品情報を読この電子部品供給ユニット１１に搭載されている電子部品の配列の情報１６と電子部品実装機中の部品配列データ１７およびＮＣデータ１８を照合部１５で比較照合し、正しい場合はそのままの部品配列データ１７およびＮＣデータ１８で実装を行い、誤りが生じているときは電子部品供給ユニット１１に搭載されている電子部品の配列を基準に部品配列データ１９およびＮＣデータ２０を再生成し実装する。
【００１４】
以上の構成におけるデータ作成方法を図３に示すフローチャートに基づいて説明する。ステップ１で電子部品供給ユニットに搭載されている記憶装置のＩＣメモリに記憶されている部品情報を電子部品実装機の読み取り装置で読み取る。ステップ２で電子部品実装機の実装データを読みとる。
【００１５】
ステップ３で上記両方のデータを比較照合する。ステップ４でステップ３の照合結果が等しい場合は、電子部品実装機の実装データには変更はない。
ステップ５でステップ３の照合結果が異なる場合は、部品供給ユニットに搭載されている電子部品の配列を基準に電子部品実装機中の部品配列データおよびＮＣデータを再生成する。
【００１６】
なお、電子部品供給ユニットに搭載されている記憶装置のＩＣメモリに記憶されている部品情報を読み取る代わりに、電子部品供給ユニットに取り付けたバーコードで電子部品の部品情報を読み取ることもできる。また、制御部をホストコンピュータで管理することもでき、電子部品実装機に内蔵することもできる。
【００１７】
【発明の効果】
以上のように、本発明によれば、電子部品実装機の部品供給ユニットに搭載されている電子部品の配列を基準に、電子部品実装機が保有する部品配列データおよびＮＣデータを再生成することにより、部品交換時に掛け間違いが起っても部品交換の手間を省ける効果がある。
【図面の簡単な説明】
【図１】本発明の一実施例のデータ作成方法を実現する電子部品実装機の全体構成を示す概略図
【図２】同実施例におけるデータ再生成を説明する図
【図３】同実施例におけるデータ再生成に至るフローチャート
【図４】電子部品供給部の構成を示す概略図である。
【符号の説明】
１１  電子部品供給ユニット
１２  記憶装置
１３  読み取り装置
１４  制御装置
１５  照合部
１６  電子部品供給ユニットに搭載されている電子部品の情報
１７  電子部品実装機の部品配列データ
１８  電子部品実装機のＮＣデータ
１９  再生成部品配列データ
２０  再生成ＮＣデータ
【図１】
0003824330.tif 000002
【図２】
0003824330.tif 000003
【図３】
0003824330.tif 000004
【図４】
0003824330.tif 000005